(57)【特許請求の範囲】
【請求項１】
空調機の起動と停止を手元又は遠方から制御する運転制御回路と，ファン等の空調機の構成機器とコイル二方弁等のその周辺機器の制御を行う空調機制御装置と，空調機と前記運転制御回路及び空調機制御装置との間の信号の送受信と変換を行うインターフェース回路と，空調機の周辺機器と空調機制御装置との間の信号の送受信と変換を行うインターフェース回路を具備し、これらの運転制御回路と各インターフェース回路とを，複数の継電器を実装したプリント配線基板上に形成してユニット化した制御インターフェース装置となしそれを盤体内に付設せしめたことを特徴とする空調設備用制御盤。
【請求項２】
空調機の起動と停止を手元又は遠方から制御する運転制御回路と，ファン等の空調機の構成機器とコイル二方弁等のその周辺機器の制御を行う空調機制御装置と，空調機と前記運転制御回路及び空調機制御装置との間の信号の送受信と変換を行うインターフェース回路と，空調機の周辺機器と空調機制御装置との間の信号の送受信と変換を行うインターフェース回路を具備し、これらの運転制御回路と各インターフェース回路とを，複数の継電器とタイマーとその時間設定スイッチを実装したプリント配線基板上に形成してユニット化した制御インターフェース装置となしそれを盤体内に付設せしめたことを特徴とする空調設備用制御盤。
【請求項３】
空調機の起動と停止を手元又は遠方から制御する運転制御回路と，空調機と前記運転制御回路及びファン等の空調機の構成機器とコイル二方弁等のその周辺機器の制御を行う空調機制御装置との間の信号の送受信と変換を行うインターフェース回路と，空調機の周辺機器と空調機制御装置との間の信号の送受信と変換を行うインタ−フェース回路を有し、これらの運転制御回路と各インターフェース回路とを，複数の継電器を実装したプリント配線基板上に形成してユニット化せしめ、空調設備用制御盤内に付設されることを特徴とする空調設備用制御インターフェース装置。
【請求項４】
空調機の起動と停止を手元又は遠方から制御する運転制御回路と，空調機と前記運転制御回路及びファン等の空調機の構成機器とコイル二方弁等のその周辺機器の制御を行う空調機制御装置との間の信号の送受信と変換を行うインターフェース回路と，空調機の周辺機器と空調機制御装置との間の信号の送受信と変換を行うインターフェース回路を有し、これらの運転制御回路と各インターフェース回路とを，複数の継電器とタイマーとその時間設定スイッチを実装したプリント配線基板上に形成してユニット化せしめ、空調設備用制御盤内に付設されることを特徴とする空調設備用制御インターフェース装置。
【発明の詳細な説明】
【０００１】
【発明の属する技術分野】
本発明は、工場やビル等に配設される空調機とその構成機器及び周辺機器の制御を行う空調設備用制御盤と，その盤体内に付設されてその制御構成の設計・組立作業の簡易化と，制御動作の信頼性と安定性の向上と，制御盤の小型化並びに空調設備の省スペース化を図り得る制御インターフェース装置とに関するものである。
【０００２】
【従来の技術】
一般に空調設備用制御盤の制御構成（電気的接続構成）としては、大別すると図８に示す如く、空調機の起動と停止を手元又は遠方から制御する運転制御回路Ａと，空調機とこの運転制御回路Ａ及び空調機制御装置２１との間の信号の送受信と変換を行うインターフェース回路Ｂと，空調機の周辺機器と空調機制御装置２１との間の信号の送受信と変換を行うインターフェース回路Ｃ等とからなっている。
図９に示す如く，空調機２８は、コイル２３，加湿器２４，ファン２５等の構成機器により構成されており、この各構成機器に対してコイル二方弁２６やファン２５の回転による風量を調節するモ−タダンパ（図示せず）等の周辺機器が設けられている。  空調機制御装置２１は、これらの空調機の構成機器や周辺機器の動作を温度センサ等のセンサ信号に基づき前記インターフェース回路Ｂ，Ｃを介して制御するものである。
【０００３】
前記制御盤には、空調機２８の起動及び停止を手元又は遠方から制御する切り替え信号を送る切り替えスイッチと起動又は停止の押釦スイッチを設けた操作部と，空調機２８の動作状態（運転，停止，故障）を表示する表示器を設けた表示部とを備えた操作パネルが付設されている。
操作パネルの切り替えスイッチが「手元」側を選択している場合には、空調機２８の起動及び停止の動作は手動にて行われる。  押釦スイッチによる起動又は停止の動作信号（指令）が運転制御回路Ａに入力されると、同制御回路Ａはその信号とインターフェース回路Ｂを介して送られる空調機２８の動作状態の信号とを論理的に比較判断して，空調機２８が「故障」中であるとか動作指令に適していない条件の場合を除き，インターフェース回路Ｂを介して動作指令（制御信号）を送り，空調機２８は起動又は停止の制御がなされる。  空調機２８の現在の動作状態は、インターフェース回路Ｂと制御回路Ａを介して操作パネルの表示部へ送られ，表示器の点灯等のその動作に相当する表示がなされる。
前記切り替えスイッチが「遠方」側を選択している場合には、空調機２８の起動及び停止の動作は自動的に行われる。  空調機制御装置２１は、センサからの信号を常に監視しており、必要に応じて空調機２８に対する起動又は停止の制御信号を発生する。  その信号はインターフェース回路Ｂを介して運転制御回路Ａへ送られ、同制御回路Ａは前記手動操作の場合と同様に，その信号とインターフェース回路Ｂから送られる空調機２８の動作状態の信号とを論理的に比較判断して，空調機２８が「故障」中でない限りインターフェース回路Ｂを介して空調機２８を起動又は停止する。  空調機２８の現在の動作状態は、前記と同様にインターフェース回路Ｂから送られる動作信号により操作パネルの表示部にてそれに相当する動作の表示がなされる。
コイル二方弁２６や風量調整用のモ−タダンパ等の周辺機器は、操作パネルの切り替えスイッチの手元又は遠方の選択状態と無関係に、空調機制御装置２１からの信号によりインターフェース回路Ｃを介して制御される。
【０００４】
図９及び図１０は、従来の空調設備とその制御盤の外観構成を概略的に示した説明図である。  従来の空調設備用制御盤９においては、空調設備の配設毎にその場で，盤体１０にビス止め等により取り付けた多数の継電器６やタイマー７等を介して配線接続することにより、前記運転制御回路Ａ，インタ−フェース回路Ｂ，Ｃ等における制御シーケンスの設計・組立てを行いその制御構成を形成するようになしていた。  そのため，制御盤９はいきおい大型となり場所をとる関係で、図９で示すように，空調機２８とは別の機械室等の離れた場所に据え付け配置され、制御盤９と空調機２８との間は、図１０に示す入出力端子台３と端子台１９に接続した電線を遠方から延ばして敷設することにより接続していた。
【０００５】
図１０中，１１は，前記制御盤９に配設されているインバータ、１２は，ラインノイズフィルタ、１３は，ＤＣリアクトル、１４は，電磁接触器、１５は，サーキットプロテクタ、１６は，ラジオノイズフィルタ、１７は，変圧器、１８は，ヒュ−ズ、２０は，アース端子である。
【０００６】
【発明が解決しようとする課題】
従来の空調設備用制御盤９においては、前記の如き構成であるため、次のような諸難点を有していた。  即ち，
空調設備毎に一々現場にて運転制御回路Ａ，インターフェース回路Ｂ，Ｃ等からなる制御構成のシーケンスを盤体に取り付けられた多数の継電器やタイマー等を介し配線接続により設計・組立てしなければならないため，制御構成の形成に多大な手間と時間を要するとともに、制御盤が大型化しそれを空調機と離れた場所に設置し遠距離に渡ってその間の接続電線を敷設しなければならないため，制御盤の搬入据え付けと電線の敷設工事にも多大な手間と時間がかかり、その結果，制御盤のコスト高と工事費の増大の要因となり、また，現場での配線工数が多い関係で結線間違いの虞を惹起しその修正に多大な手間と時間を必要とする虞も出てくるとともに、その誤配線の虞に伴い制御動作の信頼性と安定性の低下を招来する懸念もある。
更に，前記制御構成の形成手段の関係で制御盤自体の大型化が避けられず，場所をとり空調機内への組込みができないため，空調設備の省スペース化が困難であるとの難点も有していた。
【０００７】
本発明は、斯かる従来の空調設備用制御盤の制御構成の形成に伴う諸難点を解消し、配設時に現場における制御構成のシーケンスの設計・組立の手間が不要乃至簡易で配線接続作業の手間を必要最小限に省力化して，制御盤の製造組立を迅速，容易に行うことができ，製造コストの低廉化を図ることができるとともに、結線間違いや誤配線の虞を無くし制御動作の信頼性と安定性に優れ、更に制御盤の大幅な小型化を促進して，同制御盤の空調機内への組み込みを可能となすことにより，空調設備の省スペース化を図り，同時に制御盤の搬入据え付け工事の手間と遠距離に渡る制御盤と空調機との接続電線の敷設工事の手間も無くすことができる等，製造並びに使用上好適である空調設備用制御盤とその盤体内に付設して用いられる制御インターフェース装置を提供することを目的とする。
【０００８】
【課題を解決するための手段】
本発明は前記の目的を達成するために、次の手段を採っている。即ち．空調機の起動と停止を手元又は遠方から制御する運転制御回路と，ファン等の空調機の構成機器とコイル二方弁等のその周辺機器の制御を行う空調機制御装置と，空調機と前記運転制御回路及び空調機制御装置との間の信号の送受信と変換を行うインターフェース回路と，空調機の周辺機器と空調機制御装置との間の信号の送受信と変換を行うインターフェース回路とを具備した空調設備用制御盤において、これらの運転制御回路と各インターフェース回路とを，複数の継電器を実装したプリント配線基板上に形成してユニット化した制御インターフェース装置となして、この制御インターフェース装置を制御盤の盤体内に付設せしめたことを特徴とするものである。
【０００９】
空調機の起動と停止を時限的に制御する場合には、前記の運転制御回路と各インターフェース回路とを，複数の継電器とタイマーとその時間設定スイッチを実装したプリント配線基板上に形成してユニット化した制御インターフェース装置となして、これを制御盤の盤体内に付設せしめて制御盤を形成する。
【００１０】
前記制御インターフェース装置は、ユニット化してそれ自体独立した機能を有しているので、他の制御盤内における同装置が故障等した場合には直ちにそれと交換して制御に供することができる。
【００１１】
【発明の実施の形態】
別紙図面の図１乃至図８について，本発明の実施の一形態を説明する。
【００１２】
図１の２２は本発明に係る空調設備用制御盤で、その盤体内にユニット化した制御インターフェース装置１と空調機制御装置２１とを付設している。  制御インターフェース装置１は、従来空調設備毎に現場にて継電器やタイマー等を介し配線接続してその制御のシ−ケンスを設計・組立てしていた，図８における空調機の起動と停止を制御する運転制御回路Ａと制御信号の送受信と変換を行う各インターフェース回路Ｂ，Ｃとを継電器やタイマー等を実装したプリント配線基板上にあらかじめ形成してユニット化したものであり、図８においては破線で囲まれた部分がそれである。  その具体的構造は図３乃至図７に示すとおりのものである。
【００１３】
図３乃至図７において，制御インターフェース装置１は、金属製箱体２にビス止め等により固定配設されたプリント配線基板８を有しており、このプリント配線基板８に複数の入出力端子台３と，複数のコネクタ４と，複数の継電器６と，タイマー７と，その時間設定スイッチ（タイマー調整用ボリューム）５が実装されている。
そしてこのプリント配線基板８上に，これら実装された回路素子を介し配線接続により，図８における前記制御盤の制御構成となる運転制御回路Ａと，各インターフェース回路Ｂ，Ｃがそのシーケンスをあらかじめ設計・組立てされて形成されている。
プリント配線基板８としては、タイマー７とその時間設定スイッチ（タイマー調整用ボリューム）を実装していないものを用いる場合もある。
【００１４】
従ってこのプリント配線基板８を介しユニット化した制御インターフェース回路１による制御盤２２における制御構成の形成により、図１０と図１を比較すると明らかなとおり、従来，制御盤９の盤体１０において大きな占有面積を占めていた多数の継電器６やタイマー７そして多数の入出力端子台３が小さな占有面積の制御インターフェース装置１のユニット内に収納され、その分，またその他の回路素子の合理的な配置替えも含めて本発明に係る制御盤２２は従来の制御盤９に比して遥かに小型化されている。
【００１５】
そのため，図２と図９を比較すると明らかなように、図２に示すとおり従来盤体の大型化により不可能であった制御盤２２の空調機２７内への組み込みが可能となり、空調設備の大幅な省スペース化を図ることができ、また制御盤の離れた別の場所への搬入据え付けや遠距離に渡る制御盤と空調機との接続用電線の敷設を不要となすことができた。
【００１６】
そして制御盤２２の制御構成があらかじめユニット化されて形成されており，制御盤２２が空調機２７内に組み込まれているため、その都度現場での制御のシーケンス回路の設計・組立てが不要でその他の配線接続作業の手間も大幅に簡易化され、配線間違いによる誤動作の危険も回避される。
【００１７】
図１において，図１０と同一符合のものは、同一の回路素子乃至部材を示す。図２と図９の間においても同様である。
【００１８】
図８の操作パネルは、空調機械２７に付設される。制御盤２２内にユニット化して付設された制御インターフェース装置１と空調機制御装置２１とによる，空調機２７の起動と停止の運転制御及びその各構成機器と周辺機器の制御は、上記の段落番号「０００２」と「０００３」で説明したと同様になされる。
【００１９】
【発明の効果】
本発明は上記の構成となしたので、上述の従来技術の有する諸難点を解消し、以下に示す特有の効果を奏する。
【００２０】
空調設備用制御盤の制御構成としての，空調機の運転制御回路と，制御信号の送受信と変換を行うインターフェース回路とを複数の継電器やタイマー等の回路素子を実装したプリント配線基板上にあらかじめ形成し制御インターフェース装置としてユニット化して制御盤内に付設せしめるようになしたので、その制御構成を簡潔になすことができるとともに、従来と異なり，空調設備の配設の度に現場にて，多大な配線工数を要する配線接続作業により前記制御盤の制御構成の設計・組立てを行う必要がなく、その制御盤の製造・組立て作業を迅速，容易，効率的に行うことができる。
【００２１】
また，制御盤の制御構成の形成に現場における多大な配線工数を伴う配線接続作業が不要となることにより、配線間違いによる動作不良や誤配線に伴う修理の手間の増大という不都合がなく、制御動作の信頼性と安定性に優れる。
【００２２】
制御盤の制御構成をプリント配線基板を利用して制御インターフェース装置というユニット装置となしたことにより、従来制御盤の盤体外面に大きな占有面積を占めていた多数の継電器や入出力端子台やタイマーを小さな占有面積の前記ユニット装置内に納めることができ、そのため，またその他の回路素子の合理的な配置替え等と相まって、制御盤の小型化を大幅に促進することができる。
その結果、制御盤が場所をとらず，従来と異なり制御盤を離れた他の場所に据え付け配置する必要がなく、空調機内に組み込むことも可能となるので、空調設備の大幅な省スペース化を促進することができる。
【００２３】
そしてそれに伴い、煩雑な手間を要していた制御盤の搬入据え付け工事や制御盤と空調機との間を接続する遠距離に渡る電線の敷設工事も不要となすことができ、その接続も簡易に図り得ることとなるので、空調設備の配設工事を大幅に省力することができる。
【００２４】
制御盤の制御構成の簡潔化と小型化及び空調設備の配設工事の省力化に伴い、制御盤の製造コストと工事費の低減を図ることができる。
【図面の簡単な説明】
【図１】本発明の１実施形態に係る空調設備用制御盤の正面図である。
【図２】本発明の１実施形態に係る空調設備用制御盤を空調機内に組み込んだ空調設備のブロック構成図である。
【図３】本発明の１実施形態に係る制御インターフェース装置の平面図である。
【図４】同上の正面図である。
【図５】同上の側面図である。
【図６】同上の一部を截断した平面図である。
【図７】同上の一部を截断した正面図である。
【図８】空調設備用制御盤の制御構成を示したブロック構成図である。
【図９】従来の空調設備用制御盤と空調機との配置関係を示した空調設備のブロック構成図である。
【図１０】従来の空調設備用制御盤の正面図である。
【符号の説明】
１      本発明の１実施形態に係る制御インターフェース装置
２      金属製箱体
３      入出力端子台
４      コネクタ
５      タイマ−時間設定スイッチ（タイマー調整用ボリューム）
６      継電器
７      タイマー
８      プリント配線基板
９      従来の空調設備用制御盤
１０      同上制御盤の盤体
１１      インバータ
１２      ラインノイズフィルタ
１３      ＤＣリアクトル
１４      電磁接触器
１５      サーキットプロテクタ
１６      ラジオノイズフィルタ
１７      変圧器
１８      ヒュ−ズ
１９      端子台
２０      アース端子
２１      空調機制御装置
２２      本発明の１実施形態に係る空調設備用制御盤
２３      コイル
２４      加湿器
２５      ファン
２６      コイツ二方弁
２７      本発明の空調設備用制御盤を付設した空調機
２８      従来の空調機
Ａ      空調機の起動と停止を制御する運転制御回路
Ｂ      インターフェース回路
Ｃ      インターフェース回路
【図１】
0004361151.tif 000002
【図２】
0004361151.tif 000003
【図３】
0004361151.tif 000004
【図４】
0004361151.tif 000005
【図５】
0004361151.tif 000006
【図６】
0004361151.tif 000007
【図７】
0004361151.tif 000008
【図８】
0004361151.tif 000009
【図９】
0004361151.tif 000010
【図１０】
0004361151.tif 000011